(57)【要約】【課題】以下に示す自動製氷装置への給水装置を備えた冷蔵庫を提供する。（１）給水タンクの位置決めを確実に行うことができる。（２）全ての給水経路（給水タンクから製氷皿までの給水経路）の清掃が可能である。（３）給水タンクや給水経路の着脱を簡単にできる。（４）給水経路を短くすることで、清掃作業をより簡単に行うことができる。【解決手段】この発明に係る冷蔵庫は、給水装置の給水タンクが冷蔵室の前後方向にスライドし、冷蔵室に着脱自在に取り付けられるとともに、吐出パイプがパイプパッキンを介して嵌合する水受け部が、仕切り板に着脱自在に保持され、給水タンクが製氷室と冷蔵室とを仕切る断熱仕切壁上で、給水ポンプ部と駆動部とが対向するとともに、凸形状部が凸段部の最上部もしくは前方に位置する状態で冷蔵室扉を閉鎖すると、冷蔵室扉に設けられた物品収納ポケットが給水タンクに当接するものである。【選択図】図１０
2011247550.tif 000002
【特許請求の範囲】
【請求項１】
冷蔵室に給水装置が設けられるとともに、断熱仕切壁を介して前記冷蔵室の下方に形成される製氷室に自動製氷装置が設けられ、さらに前記冷蔵室の扉の内側に物品収納ポケットが前記給水装置に対向して設けられる冷蔵庫において、
前記給水装置は、以下に示す要素を備え、
（１）水を貯留する給水タンク；
（２）前記給水タンク内に設けられ、給水ポンプ部と、前記給水ポンプ部から排出される製氷用の水の通路である給水パイプとを有する給水ポンプユニット；
（３）前記給水タンクの外部に設けられ、前記給水ポンプ部のインペラ部を非接触で駆動する駆動部；
（４）前記給水タンク内に設けられ、前記給水パイプが接続されるとともに、吐出口が前記断熱仕切壁に形成された貫通穴に臨むように設けられる給水管路；
（５）前記給水管路からの水を受ける水受け部；
（６）前記水受け部の先に設けられ、該水受け部の吐出口が前記自動製氷装置に臨む吐出パイプ；
（７）前記水受け部と前記吐出パイプとのシールを行うパイプパッキン；
（８）前記駆動部を保持するとともに、前記吐出パイプが前記パイプパッキンを介して嵌合する前記水受け部を保持し、さらに前記給水タンクの前記給水ポンプ部を収納する凸形状部が係合する凹段部と、前記凹段部の前方に形成される凸段部とを有する仕切り板；
前記給水タンクは、前記冷蔵室の前後方向にスライドし、前記冷蔵室に着脱自在に取り付けられるとともに、前記吐出パイプが前記パイプパッキンを介して嵌合する前記水受け部は、前記仕切り板に着脱自在に保持され、
さらに前記給水タンクが前記製氷室と前記冷蔵室とを仕切る前記断熱仕切壁上で、前記給水ポンプ部と前記駆動部とが対向するとともに、前記凸形状部が前記凸段部の最上部もしくは前方に位置する状態で前記冷蔵室扉を閉鎖すると、前記冷蔵室扉に設けられた物品収納ポケットが前記給水タンクに当接することを特徴とする冷蔵庫。
【請求項２】
前記給水タンクの前部に設けられ、前記凸形状部と同じ高さの複数のタンク支えと、
前記仕切り板に設けられ、前記給水タンクが前記冷蔵室内に挿入される際に、前記タンク支えと係合して前記給水タンクの左右方向の位置を決める位置決め用凹形状と、を備えたことを特徴とする請求項１記載の冷蔵庫。
【発明の詳細な説明】
【技術分野】
【０００１】
この発明は、自動製氷装置及び自動製氷装置への給水装置を搭載した冷蔵庫に関する。
【背景技術】
【０００２】
従来、給水タンクを前後に摺動させて仕切り板上に載置し、給水タンクの外部に設けられたモータにより、給水タンク内の給水ポンプをマグネットカップリングにより非接触で駆動する給水装置において、給水タンクはタンク後部に凸段部を有し、その凸段部が仕切り板の凹段部に嵌ることで前後左右位置が決まる給水装置が提案されている（例えば、特許文献１参照）。
【先行技術文献】
【特許文献】
【０００３】
【特許文献１】特開２００４−１１９９６号公報
【発明の概要】
【発明が解決しようとする課題】
【０００４】
しかしながら、上述のような従来の給水装置の構成では、使用者が給水タンクの凸段部を仕切り板の凹段部まで摺動する必要があり、給水タンクが所定の位置に載置されない場合があった。
【０００５】
この発明は、上記のような課題を解決するためになされたもので、以下に示す自動製氷装置への給水装置を備えた冷蔵庫を提供する。
（１）給水タンクの位置決めを確実に行うことができる。
（２）全ての給水経路（給水タンクから製氷皿までの給水経路）の清掃が可能である。
（３）給水タンクや給水経路の着脱を簡単にできる。
（４）給水経路を短くすることで、清掃作業をより簡単に行うことができる。
【課題を解決するための手段】
【０００６】
この発明に係る冷蔵庫は、冷蔵室に給水装置が設けられるとともに、断熱仕切壁を介して前記冷蔵室の下方に形成される製氷室に自動製氷装置が設けられ、さらに冷蔵室の扉の内側に物品収納ポケットが給水装置に対向して設けられる冷蔵庫において、
給水装置は、以下に示す要素を備え、
（１）水を貯留する給水タンク；
（２）給水タンク内に設けられ、給水ポンプ部と、給水ポンプ部から排出される製氷用の水の通路である給水パイプとを有する給水ポンプユニット；
（３）給水タンクの外部に設けられ、給水ポンプ部のインペラ部を非接触で駆動する駆動部；
（４）給水タンク内に設けられ、給水パイプが接続されるとともに、吐出口が断熱仕切壁に形成された貫通穴に臨むように設けられる給水管路；
（５）給水管路からの水を受ける水受け部；
（６）水受け部の先に設けられ、水受け部の吐出口が自動製氷装置に臨む吐出パイプ；
（７）水受け部と吐出パイプとのシールを行うパイプパッキン；
（８）駆動部を保持するとともに、吐出パイプがパイプパッキンを介して嵌合する水受け部を保持し、さらに給水タンクの給水ポンプ部を収納する凸形状部が係合する凹段部と、凹段部の前方に形成される凸段部とを有する仕切り板；
給水タンクは、冷蔵室の前後方向にスライドし、冷蔵室に着脱自在に取り付けられるとともに、吐出パイプがパイプパッキンを介して嵌合する水受け部は、仕切り板に着脱自在に保持され、
さらに給水タンクが製氷室と冷蔵室とを仕切る断熱仕切壁上で、給水ポンプ部と駆動部とが対向するとともに、凸形状部が凸段部の最上部もしくは前方に位置する状態で冷蔵室扉を閉鎖すると、冷蔵室扉に設けられた物品収納ポケットが給水タンクに当接するものである。
【発明の効果】
【０００７】
この発明に係る冷蔵庫は、給水タンクの位置決めを確実に行うことができる。また、給水装置の駆動部を除く全ての部品が取り外し可能であり、それらを取り外して清掃することができ、使用者の衛生面での不安感を拭うことができる。
【図面の簡単な説明】
【０００８】
【図１】実施の形態１を示す図で、冷蔵庫１００の正面図。
【図２】実施の形態１を示す図で、冷蔵庫１００の縦断面図。
【図３】実施の形態１を示す図で、冷蔵室の給水装置６０付近を上から見た部分横断面図。
【図４】図３のＡ−Ａ断面図。
【図５】図３のＢ−Ｂ断面図。
【図６】実施の形態１を示す図で、冷蔵室から引き出した状態の給水タンク６１の断面図。
【図７】実施の形態１を示す図で、第１の断熱仕切壁８０ａの拡大断面図。
【図８】図４のＣ部拡大図。
【図９】実施の形態１を示す図で、給水管路６１ｂからの水を受ける水受け用部材の分解図。
【図１０】実施の形態１を示す図で、給水タンク６１の設置時において、給水タンク６１の凸形状部６１ａ−１が仕切り板９７の凹段部９７ａに落ち込む直前の状態を示す給水タンク６１付近の断面図。
【図１１】実施の形態１を示す図で、給水タンク６１を正面から見た断面図。
【発明を実施するための形態】
【０００９】
実施の形態１．
本実施の形態の冷蔵庫は、以下に示す自動製氷装置への給水装置を備えた点にある。
（１）全ての給水経路（給水タンクから製氷皿までの給水経路）の清掃が可能である。
（２）給水タンクや給水経路の着脱を簡単にできる。
（３）給水経路を短くすることで、清掃作業をより簡単に行うことができる。
本題の給水装置を説明する前に、先ず冷蔵庫の構成の一例について説明する。
【００１０】
図１、図２は実施の形態１を示す図で、図１は冷蔵庫１００の正面図、図２は冷蔵庫１００の縦断面図である。図１、図２を参照しながら、冷蔵庫１００の構成について説明する。
【００１１】
図１に示すように、冷蔵庫１００は、複数の室を有し、上から順に冷蔵室、左右に配置される製氷室及び切替室、冷凍室、野菜室が形成されている。冷蔵室の前面開口部に、回転式の冷蔵室扉（左）１０ａ及び冷蔵室扉（右）１０ｂ（所謂、観音代扉）が開閉自在に取り付けられている。冷蔵室扉（左）１０ａの左右の幅は、冷蔵室扉（右）１０ｂのそれよりも短い。冷蔵室扉（左）１０ａの左右の幅が、後述する製氷室扉２０の左右の幅と略同じになるようにしている。その場合、冷蔵室扉（右）１０ｂの左右の幅は、後述する切替室扉３０の左右の幅と略同一である。
【００１２】
製氷室の前面開口部を、引き出し式の製氷室扉２０が開閉自在に覆う。引き出し式の製氷室扉２０には、内側に貯氷ケース２０ａを載置するフレーム２０ｂが固定されている（図２参照）。
【００１３】
切替室の前面開口部を、引き出し式の切替室扉３０が開閉自在に覆う。引き出し式の切替室扉３０の内側は、上面が開口した収納室になっている。
【００１４】
冷凍室の前面開口部を、引き出し式の冷凍室扉４０が開閉自在に覆う。
【００１５】
野菜室の前面開口部を、引き出し式の野菜室扉５０が開閉自在に覆う。
【００１６】
図２に示すように、冷蔵庫１００は、鋼板製の外箱と樹脂製の内箱との間に断熱材を充填して形成され、一面（前面）が開口した開口部を有する箱状の本体１０１（断熱箱体）を備える。本体１０１の内部は、以下に示す断熱仕切壁により複数の部屋に仕切られている。
【００１７】
冷蔵室と製氷室及び切替室との間は、断熱性を有する第１の断熱仕切壁８０ａで仕切られている。この第１の断熱仕切壁８０ａには、後述する給水装置６０の吐出パイプ９４（図８、図９参照）が配置される貫通穴８０ａ−５（図４参照）が開けられている。吐出パイプ９４から給水タンク６１（図６参照）の水が自動製氷装置７０に供給される。
【００１８】
製氷室及び切替室と冷凍室との間は、断熱性を有する第２の断熱仕切壁８０ｂで仕切られている。
【００１９】
冷凍室と野菜室との間は、断熱性を有する第３の断熱仕切壁８０ｃで仕切られている。
【００２０】
冷蔵室の内部は複数の棚が設けられ、食品が多段に収納可能なように設けられている。製氷室の上部には自動製氷装置７０を構成する製氷皿と離氷機構が配設されている。製氷皿には第１の断熱仕切壁８０ａに開口された貫通穴８０ａ−５（図４参照、給水用開口部）から後述する給水装置６０から給水される。離氷機構は製氷皿に貯留された水が凍ったことを検知されると、製氷皿を上下反転させるように回転しながらねじることで離氷動作するもので、下方に氷が落下し、貯氷ケース２０ａに貯留されるものである。
【００２１】
冷蔵室の下部に給水装置６０（詳細は後述する）が設けられる。また、製氷室に給水装置６０から水が供給されて製氷を行う自動製氷装置７０が設置される。本実施の形態は、給水装置６０の構成に特徴がある。詳細は後述するが、給水装置６０を構成する給水タンク６１（図６参照）を使用者が外部に引き出すことができ、洗浄することが可能である。また、給水タンク６１よりも先の水受け部９２及び吐出パイプ９４（ともに、図８、図９参照）も簡単に取り外すことができ、洗浄することが可能である。
【００２２】
その他の構成は、一般的な冷蔵庫と同じなので概要を簡単に説明するにとどめる。冷媒を圧縮する圧縮機（例えば、往復式圧縮機）を用いた冷凍サイクルにより冷気を生成して、その冷気により各貯蔵室を冷却する。圧縮機は、冷蔵庫１００の底部付近の機械室（本体１０１の外部）に設置される。圧縮機で圧縮された高温・高圧の冷媒ガスは、凝縮器で冷却されて高圧の液冷媒になり、さらに減圧装置（通常は、キャピラリーチューブ）で減圧されて低圧の二相冷媒になる。低圧の二相冷媒は、蒸発器（冷却器）で冷蔵庫１００の各貯蔵室を冷却することにより低圧のガス冷媒となり圧縮機に戻る。このサイクルを繰り返す。
【００２３】
冷蔵庫１００では、例えば、冷凍室の背面に冷却器と、送風機とを少なくとも備える冷却器室が設けられる。送風機により、冷却器で生成された冷気が各貯蔵室に送られる。各貯蔵室の温度は、冷気の風量をダンパーにより制御することで、設定された温度に制御される。
【００２４】
図３乃至図７は実施の形態１を示す図で、図３は冷蔵室の給水装置６０付近を上から見た部分横断面図、図４は図３のＡ−Ａ断面図、図５は図３のＢ−Ｂ断面図、図６冷蔵室から引き出した状態の給水タンク６１の断面図、図７は第１の断熱仕切壁８０ａ付近の拡大断面図である。
【００２５】
図３は給水装置６０が設置されている冷蔵室の左側部分のみを示している。給水装置６０は、冷蔵室扉（左）１０ａの物品収納ポケット１０ａ−１に対向して、冷蔵室の左端部付近に設けられる。
【００２６】
給水装置６０は、詳細は後述するが、給水タンク本体６１ａ内に、給水ポンプ部６２と、給水ポンプ部６２から排出される製氷用の水の通路である給水パイプ６３とを有する給水ポンプユニット６４、給水パイプ６３が接続される給水管路６１ｂ（図４参照）の吐出口が臨む水受け部９２等が設けられる。水受け部９２は、冷蔵室の奥行き方向の略中間位置に設けられる。従って、清掃のために水受け部９２を取り外す際に、使用者の手が届きやすい。
【００２７】
冷蔵室の給水装置６０付近の構成を、図４、図５を参照しながら説明する。給水装置６０は、以下に示す要素を少なくとも備える。
（１）水を貯留する給水タンク６１；
（２）給水タンク６１内に設けられ、給水ポンプ部６２と、給水ポンプ部６２から排出される製氷用の水の通路である給水パイプ６３（シリコンゴム）とを有する給水ポンプユニット６４；
（３）給水タンク６１の外部に設けられ、給水ポンプ部６２のインペラ部６２ａ（図６参照）を非接触で駆動するモータ部９６（駆動部）；
（４）給水タンク６１内に設けられ、給水パイプ６３が接続されるとともに、吐出口が第１の断熱仕切壁８０ａ（断熱仕切壁の一例）に形成された貫通穴８０ａ−５に臨むように設けられる給水管路６１ｂ；
（５）給水管路６１ｂからの水を受ける水受け部９２（図８、図９参照）；
（６）給水管路６１ｂと水受け部９２とのシールを行うタンクパッキン９１（図８、図９参照）；
（７）水受け部９２の先に設けられ、その先端（吐出口）が自動製氷装置７０に臨む吐出パイプ９４（図８、図９参照）；
（８）水受け部９２と吐出パイプ９４とのシールを行うパイプパッキン９３（図８、図９参照）；
（９）モータ部９６（駆動部）及び凍結防止用ヒータ（図示せず、吐出パイプ９４の外周に設けられる）等を保持するともに、吐出パイプ９４がパイプパッキン９３を介して嵌合する水受け部９２を保持する仕切り板９７；
【００２８】
給水タンク６１は、ＰＳ（ポリスチレン樹脂）製の透明で縦型の容器状の給水タンク本体６１ａと、給水タンク本体６１ａの上面の開口部を閉塞するように着脱可能なタンク蓋６１ｃが装着されている。タンク蓋６１ｃには外周部にパッキン６５が取り付けられており、パッキン６５より給水タンク本体６１ａの開口部を密に閉塞可能にしている。
【００２９】
給水タンク６１の給水タンク本体６１ａには、冷蔵室の奥側（図６では右側）の底面部に下方に吐出する凸形状部６１ａ−１を有し、仕切り板９７には給水タンク６１の収納位置にその凸形状部６１ａ−１（図６参照）と対応する凹段部９７ａ（図７参照、凹部）が設けられている。
【００３０】
図６に示すように、給水タンク６１は凸形状部６１ａ−１の手前側に、凸形状部６１ａ−１となだらかな傾斜面６１ａ−２により底面部６１ａ−３とつながっている。底面部６１ａ−３の手前側には足部６１ｄが一体形成され、収納状態及び引き出された状態では、足部６１ｄと凸形状部６１ａ−１とが略同じ高さであるの、給水タンク６１が平行状態になるように構成されている。
【００３１】
仕切り板９７の凹段部９７ａの手前には給水タンク６１の傾斜面６１ａ−２に沿うなだらかな前上がりの傾斜面９７ｃが設けられるとともに、その傾斜面９７ｃの手前側にはよりなだらかな前下がりの傾斜面９７ｄで仕切り板９７の平面部９７ｅとつながっている。この平面部９７ｅは凹段部９７ａと同じ高さに構成されている。前上がりの傾斜面９７ｃと、前下がりの傾斜面９７ｄとが交わる部分を頂点とする上方に突出する箇所を凸段部９７ｂとする。
【００３２】
また、給水タンク６１の底面部奥側（凸形状部６１ａ−１の部分）には給水ポンプユニット６４が固定されている。この給水ポンプユニット６４は給水ポンプ部６２と、この給水ポンプ部６２から排出される製氷用の水の通路である給水パイプ６３（シリコンゴム）とで構成されている。
【００３３】
給水ポンプ部６２には円盤状の磁石を固着したインペラ部６２ａが収納されており、このインペラ部６２ａと対向するように外部に配設されたモータ部９６（駆動部）により磁気吸引力で回転駆動されるようになっている。給水ポンプ部６２の正面（図６では左側）に吸い込み口６２ｂが設けられている。吸い込み口６２ｂから給水タンク６１の水を吸い込んで給水タンク６１に設けられた給水管路６１ｂ側に吐出する。
【００３４】
給水管路６１ｂは、給水タンク本体６１ａと一体で形成され、上下に開口部を持ち、上部には給水パイプ６３が接続され、給水パイプ６３から供給された水を下部の開口部まで流通させる。この給水管路６１ｂの下部の開口部は水受け部９２の上面開口部に臨むように配設されている。
【００３５】
尚、給水管路６１ｂは、給水タンク本体６１ａと別部品で構成してもよい。給水管路６１ｂが給水タンク本体６１ａとを一体に成形する場合は、給水タンク本体６１ａの形状が複雑なため、成形用の金型も複雑な構造となる。しかし、給水管路６１ｂを給水タンク本体６１ａと別部品で構成すれば、給水タンク本体６１ａの成形用金型がその分簡単な構造にできる利点がある。
【００３６】
モータ部９６（駆動部）は、仕切り板９７を介した奥側に回転軸（図示せず）を水平方向に配設されるとともに、給水タンク６１の給水ポンプ部６２のインペラ部６２ａと対向するように回転部（図示せず）が配設される。その回転部には磁石板が固定されており、仕切り板９７及び給水タンク６１の壁面を介して磁気吸引力を利用して給水ポンプ部６２のインペラ部６２ａを回転駆動させる。
【００３７】
図８、図９は実施の形態１を示す図で、図８は図４のＣ部拡大図、図９は給水管路６１ｂからの水を受ける水受け用部材の分解図である。
【００３８】
給水タンク６１が正規の位置に設置された状態では、給水タンク本体６１ａの給水管路６１ｂの下部開口部が、水受け部９２の上面にタンクパッキン９１を介して載る。タンクパッキン９１は給水管路６１ｂからの冷蔵室内への水漏れを抑制する。
【００３９】
水受け部９２は上面が開口した漏斗状で、下部にアルミで形成された筒状の吐出パイプ９４と接続されている。水受け部９２と吐出パイプ９４との接続部にはパイプパッキン９３が取り付けられ、水受け部９２と吐出パイプ９４とを密に閉塞し、水漏れを防止している。
【００４０】
吐出パイプ９４の先端は、製氷室に臨むため、製氷室の冷気が吐出パイプ９４から給水タンク６１側へ流れる。そのため、図示はしないが、吐出パイプ９４の外周を覆う仕切り板９７の周囲にヒータを設けて吐出パイプ９４内部の凍結を抑制している。
【００４１】
また、水受け部９２と吐出パイプ９４との接続部に設けられるパイプパッキン９３は、吐出パイプ９４から給水タンク６１側へ流れる製氷室の冷気の冷蔵室への漏れを抑制している。
【００４２】
吐出パイプ９４から給水タンク６１側へ流れる製氷室の冷気が、給水タンク６１内へ侵入する恐れは少ない。給水ポンプ部６２付近には、常時水が溜まっていて製氷室の冷気をここで遮断するからである。また、給水タンク本体６１ａの上面の開口部を閉塞するように着脱可能なタンク蓋６１ｃが装着されていて、タンク蓋６１ｃには外周部にパッキン６５が取り付けられており、パッキン６５より給水タンク本体６１ａの開口部を密に閉塞しているからである。
【００４３】
水受け部９２には取っ手９２ａが設けられ、例えば、水受け部９２を洗浄するときに手前側から取外しし易いように構成されている。
【００４４】
次に給水動作について述べる。自動製氷動作において、モータ部９６が駆動されると、給水ポンプ部６２のインペラ部６２ａが回転駆動される。すると、給水タンク６１内の製氷用の水が給水ポンプ部６２の吸い込み口６２ｂから吸い込まれて、給水パイプ６３を経て、給水管路６１ｂ内を流通し、水受け部９２から吐出パイプ９４を経て、製氷皿に製氷用の水が供給される。
【００４５】
所定時間のモータ部９６の駆動により、製氷皿に所定の製氷用の水が供給される。その後、製氷室内で製氷が検知されると、離氷機構により離氷動作がなされ製氷皿の氷が落下し、貯氷ケース２０ａ（図２参照）に貯留される。以後、前述の給水動作が行われる。
【００４６】
次に、給水装置６０の清掃作業（洗浄作業）を行う場合について説明する。給水タンク６１を清掃する場合には、冷蔵室より取っ手６１ｅにより給水タンク６１を取り出す。このとき、図６に示すような状態で、タンクパッキン９１が付いた状態で給水タンク６１が取り出される。清掃作業は、タンク蓋６１ｃを取り外し、給水ポンプユニット６４（給水ポンプ部６２、給水パイプ６３）を取り外して清掃することができる。
【００４７】
また、吐出パイプ９４を清掃する場合には、水受け部９２の取っ手９２ａを持ち、上方に持ち上げることで吐出パイプ９４と水受け部９２とを同時に冷蔵室から取り外すことができる（水受け部９２と吐出パイプ９４とは、パイプパッキン９３で固定されている）。これにより、吐出パイプ９４と水受け部９２とを簡単に清掃することができる。
【００４８】
装着時には、水受け部９２の取っ手９２ａを持って、所定の位置（仕切り板９７の吐出パイプ９４挿入部）に落とし込むことで挿入され、第１の断熱仕切壁８０ａの所定の位置（貫通穴８０ａ−５）に位置決めされる。
【００４９】
図１０は実施の形態１を示す図で、給水タンク６１の設置時において、給水タンク６１の凸形状部６１ａ−１が仕切り板９７の凹段部９７ａに落ち込む直前の状態を示す給水タンク６１付近の断面図である。
【００５０】
給水タンク６１を載置する仕切り板９７には、モータ部９６（駆動部）と給水ポンプ部６２が対向するように位置決めする凸段部９７ｂ（図７参照）を設ける。また、凸段部９７ｂの後方に下方傾斜させた凹段部９７ａ（図７参照）を設ける。
【００５１】
給水タンク６１の底面には、凹段部９７ａと係合する凸形状部６１ａ−１（図６参照）を形成する。凸形状部６１ａ−１は、凹段部９７ａの前方に凸段部９７ｂよりも高く形成して、その後部を後方に下方傾斜させた形状である。
【００５２】
給水タンク６１が製氷室と冷蔵室とを仕切る第１の断熱仕切壁８０ａ上で、給水ポンプ部６２とモータ部９６（駆動部）が対向するとともに、凸形状部６１ａ−１が凸段部９７ｂの最上部もしくは前方に載置された状態では、冷蔵室扉（左）１０ａを閉鎖すると、冷蔵室扉（左）１０ａに配置された物品収納ポケット１０ａ−１に当接するように配置されたことを特徴とする。
【００５３】
そのように構成することにより、給水タンク６１が所定の位置（給水タンク６１の凸形状部６１ａ−１が、仕切り板９７の凹段部９７ａに収納された状態）になくても、冷蔵室扉（左）１０ａを閉めることで給水タンク６１が、冷蔵室扉（左）１０ａの物品収納ポケット１０ａ−１により所定の位置に押し込まれる。
【００５４】
これにより、使用者が給水タンク６１を奥（所定の位置）まで入れるのを忘れても、給水タンク６１を所定の位置に収納することができる。
【００５５】
図１１は実施の形態１を示す図で、給水タンク６１を正面から見た断面図である。給水タンク６１の前方に凸形状部６１ａ−１と同じ高さのタンク支え６１ａ−４を設ける。給水タンク６１を冷蔵室内に挿入していくと、タンク支え６１ａ−４と係合し、給水タンク６１の幅方向を規制する（位置決めする）位置決め用凹形状９７ｆを仕切り板９７（給水タンク載置面）に設けたことを特徴とする。
【００５６】
これにより、使用者が給水タンク６１を冷蔵室内に挿入する際に、左右の位置を気にすることなく、給水タンク６１を所定の位置に収納することができる。
【００５７】
以上のように、全ての給水経路（給水タンク６１から吐出パイプ９４まで）を簡単に取り外すことができるようにしているので、全ての給水経路を清掃することができ、給水装置６０の衛生性を保つことができる。
【００５８】
また、給水タンク６１が製氷室と冷蔵室とを仕切る第１の断熱仕切壁８０ａ上で、給水ポンプ部６２とモータ部９６（駆動部）が対向するとともに、凸形状部６１ａ−１が凸段部９７ｂの最上部もしくは前方に載置された状態では、冷蔵室扉（左）１０ａを閉鎖すると、冷蔵室扉（左）１０ａに配置された物品収納ポケット１０ａ−１に当接するように配置された構成にすることにより、給水タンク６１が所定の位置（給水タンク６１の凸形状部６１ａ−１が、仕切り板９７の凹段部９７ａに収納された状態）になくても、冷蔵室扉（左）１０ａを閉めることで給水タンク６１が、冷蔵室扉（左）１０ａの物品収納ポケット１０ａ−１により所定の位置に押し込まれる。これにより、使用者が給水タンク６１を奥（所定の位置）まで入れるのを忘れても、給水タンク６１を所定の位置に収納することができる。
【００５９】
さらに、給水タンク６１の前方に凸形状部６１ａ−１と同じ高さのタンク支え６１ａ−４を設ける。給水タンク６１を冷蔵室内に挿入していくと、タンク支え６１ａ−４と係合し、給水タンク６１の幅方向を規制する（位置決めする）位置決め用凹形状９７ｆを仕切り板９７（給水タンク載置面）に設けたことにより、使用者が給水タンク６１を冷蔵室内に挿入する際に、左右の位置を気にすることなく、給水タンク６１を所定の位置に収納することができる。
【符号の説明】
【００６０】
１０ａ  冷蔵室扉（左）、１０ａ−１  物品収納ポケット、１０ｂ  冷蔵室扉（右）、２０  製氷室扉、２０ａ  貯氷ケース、２０ｂ  フレーム、３０  切替室扉、４０  冷凍室扉、５０  野菜室扉、６０  給水装置、６１  給水タンク、６１ａ  給水タンク本体、６１ａ−１  凸形状部、６１ａ−２  傾斜面、６１ａ−３  底面部、６１ａ−４  タンク支え、６１ｂ  給水管路、６１ｃ  タンク蓋、６１ｄ  足部、６１ｅ  取っ手、６２  給水ポンプ部、６２ａ  インペラ部、６２ｂ  吸い込み口、６３  給水パイプ、６４  給水ポンプユニット、６５  パッキン、７０  自動製氷装置、８０ａ  第１の断熱仕切壁、８０ａ−５  貫通穴、８０ｂ  第２の断熱仕切壁、８０ｃ  第３の断熱仕切壁、９１  タンクパッキン、９２  水受け部、９２ａ  取っ手、９３  パイプパッキン、９４  吐出パイプ、９６  モータ部、９７  仕切り板、９７ａ  凹段部、９７ｂ  凸段部、９７ｃ  傾斜面、９７ｄ  傾斜面、９７ｅ  平面部、９７ｆ  位置決め用凹形状、１００  冷蔵庫、１０１  本体。
【図１】
2011247550.tif 000003
【図２】
2011247550.tif 000004
【図３】
2011247550.tif 000005
【図４】
2011247550.tif 000006
【図５】
2011247550.tif 000007
【図６】
2011247550.tif 000008
【図７】
2011247550.tif 000009
【図８】
2011247550.tif 000010
【図９】
2011247550.tif 000011
【図１０】
2011247550.tif 000012
【図１１】
2011247550.tif 000013